(57)【要約】【課題】安全かつ操作が容易な避雷器保持用絶縁操作棒を提供する。【解決手段】絶縁操作棒１０は、絶縁操作棒本体１と可動外筒２を備える。又、絶縁操作棒１０は、把持装置３と軸棒４を備える。可動外筒２は、絶縁操作棒本体１の軸方向にスライド自在に、絶縁操作棒本体１に連結している。把持装置３は、磁器碍管７０を底部側から把持できる。軸棒４は、その基端部が絶縁操作棒本体１の内部で、可動外筒２に連結している。把持装置３は、複数の指部３１ｆを有するフィンガーチャック３１、中空円筒状のヘッド３２、及び、キャップ部材３３を有する。絶縁操作棒本体１に対して、可動外筒２を絶縁操作棒本体１の先端部側に移動した状態では、フィンガーチャック３１に設けた複数の爪部３１ｎが磁器碍管７０の最下段の窪み７ｄを把持できる。【選択図】図１
2017070152.tif 000002
【特許請求の範囲】
【請求項１】
軸方向に複数の襞と窪みを交互に連設した円筒状の磁器碍管で構成した避雷器を下方から保持する避雷器保持用絶縁操作棒であって、
内部に空洞を有する長尺の円筒状の絶縁操作棒本体と、
前記絶縁操作棒本体の外周を囲い、前記絶縁操作棒本体の軸方向にスライド自在に、前記絶縁操作棒本体に連結した可動外筒と、
前記絶縁操作棒本体の先端部に配置され、前記磁器碍管を底部側から把持自在な把持装置と、
前記絶縁操作棒本体の内部に進退自在に配置され、基端部が前記絶縁操作棒本体の内部で前記可動外筒に連結し、先端部が前記把持装置に向かって延びている軸棒と、を備え、
前記把持装置は、
円筒部の底部が前記軸棒の先端部と連結し、前記円筒部の底部と反対側に前記円筒部から延在し、前記磁器碍管を底部側から導入自在に、先端部の爪部が遠心方向に放射状に拡がった状態で配置された複数の指部を有するフィンガーチャックと、
前記絶縁操作棒本体の先端部に固定し、前記指部が導入される溝部を内周面に有し、この溝部の底面が前記指部の外面に当接自在な傾斜面を形成している中空円筒状のヘッドと、
複数の前記指部を移動自在に、前記ヘッドの中央開口を封鎖し、前記磁器碍管を上面に載置自在な円盤状のキャップ部材と、を有し、
前記絶縁操作棒本体に対して、前記可動外筒を前記絶縁操作棒本体の先端部側に移動した状態では、前記指部が前記溝部の傾斜面にスライドして、前記磁器碍管の窪みを外周方向から把持自在に、複数の前記爪部の先端縁を縮径し、
前記絶縁操作棒本体に対して、前記可動外筒を前記絶縁操作棒本体の基端部側に移動した状態では、前記指部が前記溝部の傾斜面から離反して、前記磁器碍管から解放自在に、複数の前記爪部の先端縁を拡径する、避雷器保持用絶縁操作棒。
【請求項２】
前記絶縁操作棒本体に対して、前記可動外筒を所定の位置で停止した状態を保持できるロック装置を更に備える請求項１記載の避雷器保持用絶縁操作棒。
【請求項３】
前記ロック装置は、
前記絶縁操作棒本体の中心部に向かって進退自在に前記可動外筒に配置され、軸部の外周にラック歯を連設した操作ボタンと、
前記操作ボタンが前記可動外筒の外面から突出する方向に力を付勢する付勢部材と、
前記可動外筒の内部に回転自在に保持され、前記操作ボタンの軸部に噛み合うピニオンと、
前記絶縁操作棒本体の中心部に向かって進退自在に前記可動外筒に配置され、前記ピニオンに噛み合うラック歯を連設した軸部を有し、前記ピニオンを介在して、前記操作ボタンの進退運動が伝動されるロックピンと、
前記絶縁操作棒本体の軸方向に連設し、前記ロックピンの先端部が係止自在な複数の係止穴と、を含んでいる、請求項２記載の避雷器保持用絶縁操作棒。
【請求項４】
前記フィンガーチャックは、絶縁性を有する合成樹脂からなる、請求項１から３のいずれかに記載の避雷器保持用絶縁操作棒。
【発明の詳細な説明】
【技術分野】
【０００１】
本発明は、避雷器保持用絶縁操作棒に関する。特に、無停電状態の高圧配電線を間接的に活線作業できる絶縁操作棒などの間接活線作業用工具を用いて、避雷器（ＬＡ：ｌｉｇｈｔｎｉｎｇ  ａｒｒｅｓｔｅｒ）を取り付け又は撤去するための避雷器保持用絶縁操作棒の構造に関する。
【背景技術】
【０００２】
高圧配電線を無停電状態で配電工事する活線作業には、直接活線工法と間接活線工法の二通りがあることが知られている。直接活線工法は、作業者が高圧ゴム手袋などの保護具を着用して、通電中の高圧配電線に直接触れて配電工事を行なっている。一方、間接活線工法は、作業者が絶縁操作棒（ホットスティック）などを用いて、通電中の高圧配電線に直接触れることなく配電工事できる。
【０００３】
一般に、柱上変圧器などの配電機器と接地間には、避雷器を設置している。避雷器は、サージ防護素子を内蔵している。そして、避雷器は、雷などにより生ずる過度的な異常高電圧から配電機器を保護している。
【０００４】
図７は、避雷器の一例による構成を示す正面図である。図８は、避雷器の装柱状態を示す正面図である。
【０００５】
図７を参照すると、避雷器７は、軸方向に複数の襞７ｇと窪み７ｄを交互に連設した円筒状の磁器碍管７０で構成している。磁器碍管７０の内部には、ＺｎＯ素子などを収容している。磁器碍管７０の上部には、ＺｎＯ素子と電気的に接続する線路側端子７１を配置している。磁器碍管７０の下部には、ＺｎＯ素子と電気的に接続する接地側端子７２を配置している。
【０００６】
図７を参照すると、磁器碍管７０の上部には、線路側端子７１を保護する絶縁キャップ７ｃを着脱自在に取り付けている。又、磁器碍管７０の下部には、支持バンド７ｂを装着している。
【０００７】
図８を参照すると、図示しない電柱は、その上部に腕金Ａを水平状態に固定している。避雷器７は、支持バンド７ｂ及びアレスタ取り付け金具７ａを介して、腕金Ａに支持されている。
【０００８】
図７又は図８に示した避雷器７は、電線直結タイプであり、高圧配電線を線路側端子７１に直結できる。一方、図示しないＬＡコネクタ接続タイプの避雷器は、高圧配電線の端末に接続したＬＡコネクタを避雷器本体に着脱自在に接続できる。
【０００９】
ところで、直接活線工法により、ＬＡコネクタを避雷器本体に着脱すると、感電の心配があることから、間接活線工法により、ＬＡコネクタを避雷器本体に着脱自在なＬＡコネクタ用着脱工具が開示されている（例えば、特許文献１参照）。
【００１０】
特許文献１によるＬＡコネクタ用着脱工具は、高圧配電線を外周方向から導入自在に外周の一部を開口した円筒状の外スリーブと、外スリーブの内壁に接着したゴム板と、先端部を外スリーブの外周に連結した長尺の絶縁操作棒と、を備え、絶縁操作棒を操作して、外スリーブの内部にＬＡコネクタを導入すると、ゴム板がＬＡコネクタの外周を把持できるので、ＬＡコネクタを安全かつ容易に取り付け又は撤去できる、としている。
【先行技術文献】
【特許文献】
【００１１】
【特許文献１】特開２００５−１９８４５９号公報
【発明の概要】
【発明が解決しようとする課題】
【００１２】
図７又は図８を参照して、避雷器７を腕金Ａから撤去、又は、避雷器７を腕金Ａに取り付ける電気工事が必要になることがある。これらの場合、停電状態を回避するため、無停電状態で電気工事が行われる、いわゆる活線工事が実施される。
【００１３】
図７又は図８を参照して、絶縁手袋などを用いた直接活線工事で避雷器７を腕金Ａから着脱するためには、図示しない高圧の架空配電線と接触しないように、予め、架空配電線に防具（図示せず）を取り付ける必要があった。しかし、この防具の取り付けには、時間を要するという問題があった。
【００１４】
特許文献１によるＬＡコネクタ用着脱工具は、間接活線工法により、ＬＡコネクタを避雷器本体に着脱できるが、避雷器を腕金に取り付け、又は、避雷器を腕金から撤去するには、適していないという問題がある。
【００１５】
間接活線工法により避雷器を確実に保持して、避雷器を腕金に取り付け、又は、避雷器を腕金から撤去する、安全かつ操作が容易な避雷器保持用絶縁操作棒が求められていた。そして、以上のことが本発明の課題といってよい。
【００１６】
本発明は、このような課題に鑑みてなされたものであり、間接活線工法により避雷器を確実に保持して、避雷器を腕金に取り付け、又は、避雷器を腕金から撤去する、安全かつ操作が容易な避雷器保持用絶縁操作棒を提供することを目的とする。
【課題を解決するための手段】
【００１７】
本発明者は、避雷器の底部を把持自在なフィンガーチャックを絶縁操作棒本体の先端部に設け、絶縁操作棒本体の軸方向にスライド自在な可動外筒を絶縁操作棒本体の下部に設け、可動外筒を操作すると、複数の爪部が開閉することで、避雷器の底部を確実に把持できると考え、これに基づいて、以下のような新たな避雷器保持用絶縁操作棒を発明するに至った。
【００１８】
（１）本発明による避雷器保持用絶縁操作棒は、軸方向に複数の襞と窪みを交互に連設した円筒状の磁器碍管で構成した避雷器を下方から保持する避雷器保持用絶縁操作棒であって、内部に空洞を有する長尺の円筒状の絶縁操作棒本体と、前記絶縁操作棒本体の外周を囲い、前記絶縁操作棒本体の軸方向にスライド自在に、前記絶縁操作棒本体に連結した可動外筒と、前記絶縁操作棒本体の先端部に配置され、前記磁器碍管を底部側から把持自在な把持装置と、前記絶縁操作棒本体の内部に進退自在に配置され、基端部が前記絶縁操作棒本体の内部で前記可動外筒に連結し、先端部が前記把持装置に向かって延びている軸棒と、を備え、前記把持装置は、円筒部の底部が前記軸棒の先端部と連結し、前記円筒部の底部と反対側に前記円筒部から延在し、前記磁器碍管を底部側から導入自在に、先端部の爪部が遠心方向に放射状に拡がった状態で配置された複数の指部を有するフィンガーチャックと、前記絶縁操作棒本体の先端部に固定し、前記指部が導入される溝部を内周面に有し、この溝部の底面が前記指部の外面に当接自在な傾斜面を形成している中空円筒状のヘッドと、複数の前記指部を移動自在に、前記ヘッドの中央開口を封鎖し、前記磁器碍管を上面に載置自在な円盤状のキャップ部材と、を有し、前記絶縁操作棒本体に対して、前記可動外筒を前記絶縁操作棒本体の先端部側に移動した状態では、前記指部が前記溝部の傾斜面にスライドして、前記磁器碍管の窪みを外周方向から把持自在に、複数の前記爪部の先端縁を縮径し、前記絶縁操作棒本体に対して、前記絶縁操作棒本体に対して、前記可動外筒を前記絶縁操作棒本体の基端部側に移動した状態では、前記指部が前記溝部の傾斜面から離反して、前記磁器碍管から解放自在に、複数の前記爪部の先端縁を拡径する。
【００１９】
（２）本発明による避雷器保持用絶縁操作棒は、前記絶縁操作棒本体に対して、前記可動外筒を所定の位置で停止した状態を保持できるロック装置を更に備えることが好ましい。
【００２０】
（３）前記ロック装置は、前記絶縁操作棒本体の中心部に向かって進退自在に前記可動外筒に配置され、軸部の外周にラック歯を連設した操作ボタンと、前記操作ボタンが前記可動外筒の外面から突出する方向に力を付勢する付勢部材と、前記可動外筒の内部に回転自在に保持され、前記操作ボタンの軸部に噛み合うピニオンと、前記絶縁操作棒本体の中心部に向かって進退自在に前記可動外筒に配置され、前記ピニオンに噛み合うラック歯を連設した軸部を有し、前記ピニオンを介在して、前記操作ボタンの進退運動が伝動されるロックピンと、前記絶縁操作棒本体の軸方向に連設し、前記ロックピンの先端部が係止自在な複数の係止穴と、を含んでいることが好ましい。
【００２１】
（４）前記フィンガーチャックは、絶縁性を有する合成樹脂からなることが好ましい。
【発明の効果】
【００２２】
本発明による避雷器保持用絶縁操作棒は、避雷器の底部を把持自在なフィンガーチャックを絶縁操作棒本体の先端部に設け、絶縁操作棒本体の軸方向にスライド自在な可動外筒を絶縁操作棒本体の下部に設け、可動外筒を操作すると、フィンガーチャックに設けた複数の爪部が開閉することで、避雷器の底部を確実に把持できるので、安全かつ容易に避雷器を保持できる。
【図面の簡単な説明】
【００２３】
【図１】本発明の一実施形態による避雷器保持用絶縁操作棒の全体構成を示す正面図である。
【図２】前記実施形態による避雷器保持用絶縁操作棒の先端部側の構成を示す斜視分解組立図である。
【図３】前記実施形態による避雷器保持用絶縁操作棒に備わる把持装置の構成を示す図であり、図３（Ａ）は、把持装置の平面図、図３（Ｂ）は、把持装置の正面図である。
【図４】前記実施形態による避雷器保持用絶縁操作棒に備わる可動外筒及びロック装置の構成を示す図であり、図４（Ａ）は、可動外筒及びロック装置の縦断面図、図４（Ｂ）は、可動外筒及びロック装置の正面図、図４（Ｃ）は、可動外筒及びロック装置の平面図である。
【図５】前記実施形態による避雷器保持用絶縁操作棒に備わる把持装置の構成を示す縦断面図であり、フィンガーチャックに設けた複数の爪部が開いた状態図である。
【図６】前記実施形態による避雷器保持用絶縁操作棒に備わる把持装置の構成を示す縦断面図であり、フィンガーチャックに設けた複数の爪部が閉じた状態図である。
【図７】避雷器の一例による構成を示す正面図である。
【図８】避雷器の装柱状態を示す正面図である。
【発明を実施するための形態】
【００２４】
以下、図面を参照して本発明を実施するための形態を説明する。
［避雷器保持用絶縁操作棒の構成］
最初に、本発明の一実施形態による避雷器保持用絶縁操作棒の構成を説明する。図１は、本発明の一実施形態による避雷器保持用絶縁操作棒の全体構成を示す正面図である。図２は、前記実施形態による避雷器保持用絶縁操作棒の先端部側の構成を示す斜視分解組立図である。
【００２５】
図３は、前記実施形態による避雷器保持用絶縁操作棒に備わる把持装置の構成を示す図であり、図３（Ａ）は、把持装置の平面図、図３（Ｂ）は、把持装置の正面図である。
【００２６】
図４は、前記実施形態による避雷器保持用絶縁操作棒に備わる可動外筒及びロック装置の構成を示す図であり、図４（Ａ）は、可動外筒及びロック装置の縦断面図、図４（Ｂ）は、可動外筒及びロック装置の正面図、図４（Ｃ）は、可動外筒及びロック装置の平面図である。
【００２７】
図５は、前記実施形態による避雷器保持用絶縁操作棒に備わる把持装置の構成を示す縦断面図であり、フィンガーチャックに設けた複数の爪部が開いた状態図である。図６は、前記実施形態による避雷器保持用絶縁操作棒に備わる把持装置の構成を示す縦断面図であり、フィンガーチャックに設けた複数の爪部が閉じた状態図である。
【００２８】
なお、従来技術で用いた符号と同じ符号を付した構成品は、その作用を同じとするので、説明を省略する場合がある。
【００２９】
（全体構成）
図１から図６を参照すると、本発明の一実施形態による避雷器保持用絶縁操作棒（以下、絶縁操作棒と略称する）１０は、長尺の円筒状の絶縁操作棒本体１と可動外筒２を備えている。又、絶縁操作棒１０は、把持装置３と軸棒４を備えている。
【００３０】
図２又は図６を参照すると、絶縁操作棒１０は、軸方向に複数の襞７ｇと窪み７ｄを交互に連設した円筒状の磁器碍管７０で構成した避雷器７を下方から保持できる。
【００３１】
図１又は図２及び図４から図６を参照すると、絶縁操作棒本体１は、内部に空洞を有している。図１又は図４を参照すると、可動外筒２は、絶縁操作棒本体１の外周を囲っている。そして、可動外筒２は、絶縁操作棒本体１の軸方向にスライド自在に、絶縁操作棒本体１に連結している。
【００３２】
図１から図３及び図５又は図６を参照すると、把持装置３は、絶縁操作棒本体１の先端部に配置されている。そして、把持装置３は、磁器碍管７０を底部側から把持できる（図２又は図６参照）。
【００３３】
図１又は図２及び図４から図６を参照すると、軸棒４は、絶縁操作棒本体１の内部に進退自在に配置されている。軸棒４は、その基端部が絶縁操作棒本体１の内部で、可動外筒２に連結している（図４（Ａ）参照）。又、軸棒４は、その先端部が把持装置３に向かって延びている（図５又は図６参照）。
【００３４】
図１から図３及び図５又は図６を参照すると、把持装置３は、複数の指部３１ｆを有するフィンガーチャック３１、中空円筒状のヘッド３２、及び、円盤状のキャップ部材３３を有している。
【００３５】
図２又は図５及び図６を参照すると、フィンガーチャック３１は、有底の円筒部３１ｃと複数の指部３１ｆで構成している。円筒部３１ｃは、その底部が軸棒４の先端部と連結している（図５又は図６参照）。複数の指部３１ｆは、円筒部３１ｃの底部と反対側に、円筒部３１ｃから延在している。又、複数の指部３１ｆは、磁器碍管７０を底部側から導入自在に、先端部の爪部３１ｎが遠心方向に放射状に拡がった状態で配置されている（図５参照）。フィンガーチャック３１は、絶縁性を有する合成樹脂からなることが好ましい。
【００３６】
図１から図３及び図５又は図６を参照すると、ヘッド３２は、絶縁操作棒本体１の先端部に固定している。又、ヘッド３２は、指部３１ｆが導入される溝部３２ｄを内周面に有している（図２参照）。そして、溝部３２ｄの底面は、指部３１ｆの外面に当接自在な傾斜面３２ｓを形成している（図６参照）。
【００３７】
図２又は図５及び図６を参照すると、キャップ部材３３は、複数の指部３１ｆを移動自在に、ヘッド３２の中央開口を封鎖している。そして、キャップ部材３３は、磁器碍管７０を上面に載置できる（図６参照）。
【００３８】
図１又は図６を参照して、絶縁操作棒本体１に対して、可動外筒２を絶縁操作棒本体１の先端部側に移動した状態では、指部３１ｆが溝部３２ｄの傾斜面３２ｓにスライドして、磁器碍管７０の窪み７ｄを外周方向から把持自在に、複数の爪部３１ｎの先端縁を縮径できる（図６参照）。
【００３９】
図１又は図５を参照して、絶縁操作棒本体１に対して、可動外筒２を絶縁操作棒本体１の基端部側に移動した状態では、指部３１ｆが溝部３２ｄの傾斜面３２ｓから離反して、磁器碍管７０から解放自在に、複数の爪部３１ｎの先端縁を拡径できる（図５参照）。
【００４０】
図１から図６を参照すると、実施形態による絶縁操作棒１０は、避雷器７の底部を把持自在なフィンガーチャック３１を絶縁操作棒本体１の先端部に設け、絶縁操作棒本体１の軸方向にスライド自在な可動外筒２を絶縁操作棒本体の下部に設け、可動外筒２を操作すると、フィンガーチャック３１に設けた複数の爪部３１ｎが開閉することで、避雷器７の底部を確実に把持できるので、安全かつ容易に避雷器７を保持できる。
【００４１】
（ロック装置の構成）
次に、絶縁操作棒１０に備わるロック装置５の構成を説明する。図１又は図４を参照すると、絶縁操作棒１０は、ロック装置５を更に備えている。ロック装置５は、絶縁操作棒本体１に対して、可動外筒２を所定の位置で停止した状態を保持できる。
【００４２】
図１又は図４を参照すると、ロック装置５は、操作ボタン５１と圧縮コイルばねである付勢部材５２を含んでいる。又、ロック装置５は、ピニオン５３、ロックピン５４、及び、絶縁操作棒本体１の軸方向に連設した複数の係止穴１ｈを含んでいる。
【００４３】
図４を参照すると、操作ボタン５１は、絶縁操作棒本体１の中心部に向かって進退自在に可動外筒２に配置されている。又、操作ボタン５１は、軸部５１ｓの外周にラック歯を連設している（図４（Ａ）参照）。
【００４４】
図４を参照すると、付勢部材５２は、操作ボタン５１を外装している。そして、付勢部材５２は、操作ボタン５１が可動外筒２の外面から突出する方向に力を付勢している。図４（Ａ）に示した状態では、軸部５１ｓにＥリング５１ｅが嵌合しているので、操作ボタン５１は、可動外筒２から脱落することなく、停止している。
【００４５】
図４を参照すると、ピニオン５３は、可動外筒２の内部に回転自在に保持されている。又、ピニオン５３は、操作ボタン５１の軸部５１ｓに噛み合っている。ピニオン５３は、操作ボタン５１の進退運動を回転運動に変換できる。
【００４６】
図４（Ａ）を参照すると、ロックピン５４は、絶縁操作棒本体１の中心部に向かって進退自在に可動外筒２に配置されている。ロックピン５４は、ピニオン５３に噛み合うラック歯を連設した軸部５４ｓを有している。そして、ロックピン５４は、ピニオン５３を介在して、操作ボタン５１の進退運動が伝動される。
【００４７】
図４（Ａ）を参照すると、絶縁操作棒本体１は、ロックピン５４の先端部が係止自在な複数の係止穴１ｈを開口している。図４（Ａ）に示した状態から、付勢部材５２の付勢力に抗して、操作ボタン５１を押すと、ロックピン５４を絶縁操作棒本体１から後退できる。そして、ロックピン５４と係止穴１ｈの係合状態を解除できる。これにより、絶縁操作棒本体１に対して、可動外筒２を移動できる。
【００４８】
図４（Ａ）を参照して、操作ボタン５１を押した状態から操作ボタン５１を解放すると、付勢部材５２の付勢力で操作ボタン５１を突出できる。操作ボタン５１が突出すると、これに連動して、ロックピン５４を絶縁操作棒本体１に向かって進出できる。ロックピン５４を係止穴１ｈに係合できる。これにより、可動外筒２を所定の位置で停止した状態を保持できる。
【００４９】
図４（Ａ）を参照すると、軸棒４は、その基端部に円板部材４１を固定している。円板部材４１は、絶縁操作棒本体１の軸方向に移動自在に、絶縁操作棒本体１の内部に配置されている。円板部材４１は、その外周に一対の雌ねじ４１ｆを設けている。一対の雌ねじ４１ｆは、相反する向きに向かって配置されている。
【００５０】
図４を参照すると、雌ねじ４１ｆには、可動外筒２を介して止めねじ４１ｓを締結している。これにより、円板部材４１と可動外筒２を一体で移動できる。なお、絶縁操作棒本体１には、止めねじ４１ｓが移動自在な長穴（図示せず）を開口している。
【００５１】
［避雷器保持用絶縁操作棒の作用］
次に、実施形態による絶縁操作棒１０の操作方法を説明しながら、絶縁操作棒１０の作用及び効果を説明する。
【００５２】
最初に、図１又は図４を参照して、操作ボタン５１を押して、ロックピン５４と係止穴１ｈの係合状態を解除する。次に、図１を参照して、絶縁操作棒本体１に対して、可動外筒２を絶縁操作棒本体１の基端部側に移動して、図６に示すように、複数の爪部３１ｎの先端縁を拡径する。
【００５３】
次に、図１又は図４を参照して、操作ボタン５１を復帰して、図６に示すように、複数の爪部３１ｎの先端縁を拡径した状態で、複数の爪部３１ｎの内部に、磁器碍管７０を底部側から導入する。次に、図５に示すように、キャップ部材３３の上面に磁器碍管７０を載置した状態で、絶縁操作棒本体１に対して、可動外筒２を絶縁操作棒本体１の先端部側に移動すると、複数の爪部３１ｎの先端縁が縮径して、磁器碍管７０の最下段の窪み７ｄを把持できる。これにより、絶縁操作棒１０で避雷器７を確実に保持できる。
【００５４】
図１から図６を参照すると、実施形態による絶縁操作棒１０は、避雷器７の底部を把持自在なフィンガーチャック３１を絶縁操作棒本体１の先端部に設け、絶縁操作棒本体１の軸方向にスライド自在な可動外筒２を絶縁操作棒本体の下部に設け、可動外筒２を操作すると、フィンガーチャック３１に設けた複数の爪部３１ｎが開閉することで、避雷器７の底部を確実に把持できるので、安全かつ容易に避雷器７を保持できる。
【００５５】
本発明による避雷器保持用絶縁操作棒は、次のような効果が期待できる。
（１）避雷器を安定した状態で確実に保持できる。
（２）避雷器に限定することなく、他の円柱状機器にも使用できる。
（３）間接活線作業で実施できる作業の幅が広がる。
（４）作業者の作業位置が高くならなくて済む。
（５）高圧線に防具を取り付けなくても容易に作業ができる。
（６）直接活線作業をしなくて済むので安全である。
【００５６】
本発明による避雷器保持用絶縁操作棒は、電線直結タイプの避雷器に適用でき、ＬＡコネクタ接続タイプの避雷器にも適用できる。
【符号の説明】
【００５７】
１  絶縁操作棒本体
２  可動外筒
３  把持装置
４  軸棒
７  避雷器
７ｄ  窪み
７ｇ  襞
１０  絶縁操作棒（避雷器保持用絶縁操作棒）
３１  フィンガーチャック
３１ｃ  円筒部
３１ｆ  指部
３１ｎ  爪部
３２  ヘッド
３２ｄ  溝部
３２ｓ  傾斜面
３３  キャップ部材
７０  磁器碍管
【図１】
2017070152.tif 000003
【図２】
2017070152.tif 000004
【図３】
2017070152.tif 000005
【図４】
2017070152.tif 000006
【図５】
2017070152.tif 000007
【図６】
2017070152.tif 000008
【図７】
2017070152.tif 000009
【図８】
2017070152.tif 000010